(57)【要約】【課題】  非接触型ＩＣカードに記録されたデータを利用した処理を簡単に実施することを可能にする。【解決手段】  本実施形態の印刷装置は、ネットワークを通じて外部から入力される第１データを記憶するデータ記憶手段と、非接触型ＩＣカードから第２データを受信するデータ受信手段と、前記データ受信手段により受信された前記第２データに対応するアプリケーションを実行し、前記アプリケーションにより前記第１データと前記第２データとの関連を判定する判定手段と、前記判定手段による判定結果に基づいて、前記第１データと前記第２データに関連して作成された印刷データを作成する作成手段と、記印刷データの印刷を実行する印刷手段とを具備する。【選択図】図１
2015187775.tif 000002
【特許請求の範囲】
【請求項１】
ネットワークを通じて外部から入力される第１データを記憶するデータ記憶手段と、
非接触型ＩＣカードから第２データを受信するデータ受信手段と、
前記データ受信手段により受信された前記第２データに対応するアプリケーションを実行し、前記アプリケーションにより前記第１データと前記第２データとの関連を判定する判定手段と、
前記判定手段による判定結果に基づいて、前記第１データと前記第２データに関連して作成された印刷データを作成する作成手段と、
前記印刷データの印刷を実行する印刷手段と
を具備したことを特徴とする印刷装置。
【請求項２】
前記データ記憶手段は、列車運行遅延情報を前記第１データとして記憶し、
前記データ受信手段は、前記非接触型ＩＣカードから列車の乗車駅と降車駅とを含む交通経路情報を前記第２データとして受信し、
前記判定手段は、前記列車運行遅延情報と前記交通経路情報とを比較して、利用経路が運行遅延に該当する経路であるか判定し、
前記印刷手段は、前記利用経路が運行遅延に該当する経路と判定された場合に遅延証明書を印刷することを特徴とする請求項１記載の印刷装置。
【請求項３】
前記印刷手段は、前記データ受信手段により前記非接触型ＩＣカードから前記第２データが受信された場合にのみ前記第１データと第２データに関連して作成された印刷データが印刷可能な状態に遷移することを特徴とする請求項１記載の印刷装置。
【発明の詳細な説明】
【技術分野】
【０００１】
本発明は、非接触ＩＣカードからデータを読み取る機能を有する印刷装置に関する。
【背景技術】
【０００２】
近年では、非接触型ＩＣカードが広く社会で使用されている。例えば、交通系ＩＣカードは、鉄道等の乗車カード（定期券等）として使用したり、コンビニエンスストア等の店舗での支払いに使用できる電子マネーとして使用したりできる。また、会社で使用される社員証を非接触型ＩＣカードにより作成している会社もある。
【０００３】
非接触型ＩＣカードは、個別のＩＤを持ち、カードリーダに対して近接させるだけで非接触の通信が行われるため、扱いが容易であり便利である。このため、より多くの用途で使用されることが望まれている。
【０００４】
ところで従来では、鉄道等で使用される定期券に記録された識別コードを利用して、遅延証明を取得することができる遅延証明発行装置が考えられている（特許文献１参照）。遅延証明発行装置は、登録者から携帯電話、インターネットを介して、識別コードを含む遅延証明の発行要求が送信されてきた場合に、識別コードに対応する入退場情報をもとに遅延の有無を判別し、この判別結果に応じて遅延証明を発行することができる。
【先行技術文献】
【特許文献】
【０００５】
【特許文献１】特開２００４−３８７４９号公報
【発明の概要】
【発明が解決しようとする課題】
【０００６】
このように特許文献１に記載された従来技術では、定期券に記録された識別コードを利用するものの、登録者が携帯電話を使用して識別コードを送信している。このため、登録者にとっては定期券に記録された識別データを認識し、携帯電話を操作して所定の送信先に送るための操作が必要であり手間のかかるものだった。また、遅延証明は、電子メールによって配信されるため、紙媒体によって会社等に提出するためには、別途、電子メールを印刷する作業が必要となってしまう。
【０００７】
また、Ｗｅｂを介して各鉄道会社が発行する遅延証明書を入手できるが、鉄道会社毎に提供されているＷｅｂページにアクセスし、証明書画像をダウンロードし、この証明書画像をプリンタで印刷するという作業が必要であり面倒であった。
【０００８】
本発明は、前記のような課題に考慮してなされたもので、非接触型ＩＣカードに記録されたデータを利用した処理を簡単に実施できる印刷装置を提供することを目的とする。
【課題を解決するための手段】
【０００９】
上記の課題を解決するために、本実施形態の印刷装置は、ネットワークを通じて外部から入力される第１データを記憶するデータ記憶手段と、非接触型ＩＣカードから第２データを受信するデータ受信手段と、前記データ受信手段により受信された前記第２データに対応するアプリケーションを実行し、前記アプリケーションにより前記第１データと前記第２データとを関連を判定する判定手段と、前記判定手段による判定結果に基づいて、前記第１データと前記第２データに関連して作成された印刷データを作成する作成手段と、前記印刷データの印刷を実行する印刷手段とを具備したことを特徴とする。
【発明の効果】
【００１０】
本発明によれば、非接触型ＩＣカードに記録されたデータを利用した処理を簡単に実施することが可能となる。
【図面の簡単な説明】
【００１１】
【図１】本実施形態における本実施形態における印刷装置（プリンタ）の機能構成を示す図。
【図２】本実施形態におけるプリンタを利用して遅延証明書を印刷するまでの処理を示すフローチャート。
【図３】本実施形態における交通系ＩＣカードからデータが読み出された場合に起動される交通系対応アプリケーションの動作を示すフローチャート。
【図４】本実施形態における社員証カードが使用される場合のプリンタの機能構成を示す図。
【図５】本実施形態におけるプリンタを利用して人事に関する各種処理をするまでを示すフローチャート。
【図６】本実施形態における入退社時刻記録処理の詳細を示すフローチャート。
【図７】本実施形態における残業申請処理の詳細を示すフローチャート。
【図８】本実施形態における休暇申請処理の詳細を示すフローチャート。
【図９】本実施形態におけるキャッシュレスチャージ処理を示すフローチャート。
【図１０】本実施形態におけるアプリ終了処理を示すフローチャート。
【発明を実施するための形態】
【００１２】
以下、図面により本発明の実施の形態について説明する。  
図１は、本実施形態における印刷装置（プリンタ１０）の機能構成を示す図である。図１に示すように、本実施形態におけるプリンタ１０は、制御ユニット２０、プリンタユニット２２、メモリ２４、記憶ユニット２６、カードリーダ２８、及び通信ユニット２９を有している。
【００１３】
制御ユニット２０は、プリンタ１０の全体の制御を司るもので、各種プログラムを実行することにより各種機能を実現する。制御ユニット２０は、カードリーダ２８によって個別のＩＤを持つ非接触型ＩＣカードから読み取られたデータに基づいて非接触型ＩＣカードの種類を判別し、非接触型ＩＣカードの種類に応じたアプリケーションを起動して実行状態に遷移させることができる。制御ユニット２０は、日時を計時する時計機能を有している（図示せず）。
【００１４】
プリンタユニット２２は、制御ユニット２０の制御のもとで、印刷媒体に対して画像やテキストなどの印刷を実行する。
【００１５】
メモリ２４は、制御ユニット２０により実行されるプログラムやデータ等を一時的に記憶するためのワークメモリとして使用される。メモリ２４は、記憶ユニット２６から読み出されたプログラムやデータが記憶され、制御ユニット２０によりアクセスされる。また、メモリ２４は、カードリーダ２８によって非接触型ＩＣカードから受信したデータ、通信ユニット２９を通じて外部の情報機器（Ｗｅｂサーバ３２）等から受信したデータを記憶する。
【００１６】
記憶ユニット２６は、各種プログラムやデータ等を不揮発性の記憶媒体（フラッシュメモリ等）に記憶する装置である。記憶ユニット２６には、基本制御プログラムの他、例えばカードリーダ２８によってデータが読み取られた非接触型ＩＣカードの種類に応じた複数のアプリケーションプログラムが記憶される。複数のアプリケーションプログラムには、例えば、交通系ＩＣカード３０から受信した交通経路情報を示すデータをもとに遅延証明書を印刷することができる交通系対応アプリケーション２６ａ、社員証ＩＣカード６０（図４参照）から受信した社員番号データをもとに、人事に関する各種処理を実行する人事処理対応アプリケーション５６ａ（図４参照）などが含まれる。また、記憶ユニット２６には、各アプリケーションを実行するために使用されるデータ、例えば交通系対応アプリケーション２６ａによる処理に利用される路線データベース２６ｂ、人事処理対応アプリケーション５６ａによる処理に利用される社員データ５６ｂ（図４参照）が記憶される。
【００１７】
カードリーダ２８は、非接触型ＩＣカードから非接触通信によりデータを送受信する装置である。カードリーダ２８は、非接触型ＩＣカードが近接されることにより、非接触型ＩＣカードに記録されたデータの読み取り及び書き込みが可能である。また、カードリーダ２８は、複数種類の非接触型ＩＣカードとデータの送受信が可能であるものとする。なお、カードリーダ２８は、複数種類の非接触型ＩＣカードにそれぞれ対応して、複数台が設けられていても良い。
【００１８】
通信ユニット２９は、ＬＡＮ（Local Area Network）やインターネット等を含むネットワーク３１を介して、外部の情報機器との通信を制御する。図１に示す構成では、インターネットを介して接続されるＷｅｂサーバ３２にアクセスして、データを受信することができる。
【００１９】
Ｗｅｂサーバ３２は、例えば鉄道会社により開設されたＷｅｂサイトを提供するもので、鉄道等の遅延情報（列車運行遅延情報）や遅延証明に関係するデータを配信する。
【００２０】
なお、図示していないが、プリンタ１０には、制御ユニット２０の制御のもとで各種情報を表示可能なディスプレイ、ユーザ操作を受け付ける入力装置（タッチパネル、キーボード、ボタン等）が設けられているものとする。
【００２１】
次に、本実施形態におけるプリンタ１０の動作について説明する。  
まず、非接触型ＩＣカードとして交通系ＩＣカード３０を使用して、電車の遅延証明書をプリンタ１０において印刷する場合を例にして説明する。プリンタ１０は、例えば会社内で使用されるもので、社員が通勤時に電車等の遅延に遭った場合に、遅延証明書を発行（印刷）するために使用される。
【００２２】
図２は、本実施形態におけるプリンタ１０を利用して遅延証明書を印刷するまでの処理を示すフローチャート、図３は、交通系ＩＣカード３０からデータが読み出された場合に起動される交通系対応アプリケーション２６ａの動作を示すフローチャートである。
【００２３】
制御ユニット２０は、例えば就業開始時刻になった時点で、通信ユニット２９、ネットワーク３１を通じて、Ｗｅｂサーバ３２（Ｗｅｂサイト）から遅延路線データ、遅延証明書データを受信し、メモリ２４に記憶する（ステップＡ１）。図１には、Ｗｅｂサーバ３２から受信した遅延証明書データ２４ａ、遅延路線データ２４ｂを示している。遅延した路線が複数ある場合には、複数の路線のそれぞれに対応する遅延証明書データ２４ａ及び遅延路線データ２４ｂが受信されるものとする。遅延路線データ２４ｂには、遅延が発生した路線を示すデータと遅延が発生した時刻（あるいは時間）を示すデータが含まれているものとする。
【００２４】
一方、ユーザは、交通系ＩＣカード３０を利用して鉄道等を利用するものとする。この場合、自動改札を通過することにより、交通系ＩＣカード３０には乗車駅、降車駅、入力退場の時刻を示す入退場時刻データが記録されている。ここで、電車の運行に遅延が発生したものとする。
【００２５】
ユーザは、プリンタ１０を利用して遅延証明書を発行するために、交通系ＩＣカード３０をプリンタ１０のカードリーダ２８に近接させる（ステップＡ２）。カードリーダ２８は、近接された交通系ＩＣカード３０と通信して、交通系ＩＣカード３０に記録された乗車駅、降車駅、入退場時刻の各データを受信する。制御ユニット２０は、カードリーダ２８によって読み取られたデータをメモリ２４に記憶させると共に、交通系ＩＣカード３０から読み取られたデータであることを判別し、交通系対応アプリケーション２６ａを起動する（ステップＡ３）。以下、制御ユニット２０は、交通系対応アプリケーション２６ａに従って動作する。
【００２６】
まず、制御ユニット２０は、交通系ＩＣカード３０から受信された乗車駅と降車駅のデータをメモリ２４から読み取り（ステップＢ１）、乗車駅と降車駅のデータと路線データベース２６ｂをもとにユーザ（社員）が実際に利用した路線を抽出する（ステップＡ４）。路線データベース２６ｂには、鉄道等の全ての路線についてのデータが登録されている。
【００２７】
すなわち、制御ユニット２０は、路線データベース２６ｂの全データから乗車駅のデータをもとに路線の候補を絞り込み（ステップＢ２）、さらに降車駅のデータをもとに路線の候補を絞り込む（ステップＢ３）。制御ユニット２０は、乗車駅と降車駅のデータをもとに絞り込んだデータからユーザの利用路線を特定し（ステップＢ４）、このユーザの利用路線と遅延路線データ２４ｂの路線とを比較する。ここで路線が一致した場合、制御ユニット２０は、さらに遅延路線データ２４ｂが示す遅延が発生した時刻（あるいは時間）と、交通系ＩＣカード３０から読み取った入退場時刻データとを比較して、鉄道等に遅延が発生していた間に乗車していたかを判定する（ステップＢ５）。
【００２８】
ここで、遅延発生時に乗車していたと判定された場合には（ステップＡ５、有）、制御ユニット２０は、交通系ＩＣカード３０を使用したユーザが利用した路線において、実際に遅延が発生し、該当する路線の電車等に乗車していたものと判定し、該当路線についての遅延証明書データ２４ａをもとに、ユーザ識別のため、交通系ＩＣカード３０のＩＤを含めて遅延証明書の印刷データを作成し、プリンタユニット２２に送信することによって印刷する（ステップＢ６、Ａ６）。
【００２９】
一方、路線が一致しない場合、あるいは遅延発生時に乗車していないと判定された場合（ステップＡ５、無）、制御ユニット２０は、交通系ＩＣカード３０を使用したユーザが利用した路線において遅延が発生していないものと判定して処理を終了する。
【００３０】
制御ユニット２０は、交通系対応アプリケーション２６ａによる処理を終了して、通常のプリンタモードに復帰する（ステップＡ７）。
【００３１】
このようにして、本実施形態におけるプリンタ１０では、交通系ＩＣカード３０をプリンタ１０のカードリーダ２８に近接させるだけで、交通系ＩＣカード３０に記録された乗車駅、降車駅、入退場時刻のデータをもとに、遅延の発生した電車等にユーザ（社員）が乗車していたか確認の上で、遅延証明書を作成し、発行（印刷）させることができる。従って、多くの作業を必要とすることなく簡単に遅延証明書を取得することが可能となる。
【００３２】
また、本実施形態におけるプリンタ１０は、交通系ＩＣカード３０からデータが読み取られた場合のみ交通系対応アプリケーション２６ａを起動して遅延証明書を印刷可能な状態に遷移する。従って、プリンタ１０に遅延証明書データ２４ａが記憶されていたとしても、遅延証明書を印刷するだけの処理を実行させることができないので、不正な遅延証明書の発行を防ぐことができる。
【００３３】
次に、交通系ＩＣカード３０に代えて、非接触型ＩＣカードとして社員証カード６０を使用して、人事に関する各種処理をプリンタ１０において実行する場合を例にして説明する。社員証カード６０は、社員に固有の社員番号データが記録されている他、社内で電子マネーとして使用できる機能を有している。社員証カード６０は、電子マネーとして使用可能な金額を示すチャージ金額を示すデータが記録されており、社内食堂や社内販売での料金支払時、あるいはキャッシュレスチャージによりチャージ金額が更新される。
【００３４】
図４は、社員証カード６０が使用される場合のプリンタ１０の機能構成を示す図である。図４において、記憶ユニット２６には、人事処理対応アプリケーション５６ａと社員データ５６ｂが記憶されることを示している。
【００３５】
人事処理対応アプリケーション５６ａは、社員証ＩＣカード６０から受信した社員番号データをもとに、人事に関する各種処理を実行するためのプログラムである。社員データ５６ｂは、通信ユニット２９を通じて、社内サーバ６２（社内データベース６２ａ）から受信されたデータ（名前、所属などの社員に関する各種データを含む）である。制御ユニット２０が人事処理対応アプリケーション５６ａを実行するのに伴い、メモリ２４には、入退社時刻記録メモリ部５４ａ、残業時間申請記録メモリ部５４ｂ、休暇申請記録メモリ部５４ｃ、チャージ金額メモリ部５４ｄが設けられる。
【００３６】
図５は、本実施形態におけるプリンタ１０を利用して人事に関する各種処理をするまでを示すフローチャート、図６〜図１０は、社員証カード６０からデータが読み出された場合に起動される人事処理対応アプリケーション５６ａによる人事に関する各種処理の動作を示すフローチャートである。
【００３７】
制御ユニット２０は、通信ユニット２９を通じて、例えばＬＡＮにより接続された社内サーバ６２から、社内データベース６２ａにおいて管理されている社員データを受信し、記憶ユニット２６に記憶する（ステップＣ１）。図４には、社内サーバ６２から受信した社員データ５６ｂを示している。制御ユニット２０は、例えば予め決められた時刻、予め決められた時間毎など、任意のタイミングで社内サーバ６２にアクセスして社員データ５６ｂを受信して、逐次、更新するものとする。
【００３８】
ユーザは、プリンタ１０を利用して人事に関する処理をするために、社員証カード６０をプリンタ１０のカードリーダ２８に近接させる（ステップＣ２）。カードリーダ２８は、近接された社員証カード６０と通信して、社員証カード６０に記録された社員番号データを受信する。制御ユニット２０は、カードリーダ２８によって読み取られたデータをメモリ２４に記憶させると共に、社員証カード６０から読み取られたデータであることを判別し、人事処理対応アプリケーション５６ａを起動する。以下、制御ユニット２０は、人事処理対応アプリケーション５６ａに従って動作する（ステップＣ３）。
【００３９】
まず、制御ユニット２０は、社員証カード６０から受信された社員番号データをメモリ２４から読み取り、社員番号データと社員データ５６ｂとを比較して、登録された社員証カード６０であるかどうかを判定する。登録された社員証カード６０であると判定された場合は、社員番号データに対応する社員情報を社員データ５６ｂから抽出する（ステップＣ４）。次に、制御ユニット２０は、人事に関する各種詳細処理を選択させるための画面を表示させ、ユーザ（社員）に選択させる。登録された社員証カード６０ではない判定された場合は処理を終了する。
【００４０】
ここで、「入退社時刻記録」が選択された場合、制御ユニット２０は、入退社時刻記録処理を実行して、入退社時刻を入退社時刻記録メモリ部５４ａに記録する（ステップＣ６）。
【００４１】
図６は、本実施形態における入退社時刻記録処理の詳細を示すフローチャートである。
【００４２】
制御ユニット２０は、メモリ２４に記憶された社員番号データを読み出し（ステップＤ１）、また時計機能により計時されている現在の日時を示す日付時刻情報を取得する（ステップＤ２）。
【００４３】
制御ユニット２０は、日付時刻情報が示す現在の時刻をもとに「入社」か「退社」を判断して入退記録状態を設定すると共に、何れかを表示してユーザに確認させる。ここで、ユーザから表示の訂正が指示された場合には、制御ユニット２０は、入退記録状態を変更する（ステップＤ３）。
【００４４】
制御ユニット２０は、入退記録情報（入退記録状態、日付時刻情報）を社員番号データと対応づけて、入退社時刻記録メモリ部５４ａに記録する（ステップＤ４）。
【００４５】
次に、「残業申請」が選択された場合、制御ユニット２０は、残業申請処理を実行して、残業申請時間を残業時間申請記録メモリ部５４ｂに記録する（ステップＣ７）。
【００４６】
図７は、本実施形態における残業申請処理の詳細を示すフローチャートである。  
制御ユニット２０は、メモリ２４に記憶された社員番号データを読み出し（ステップＥ１）、ユーザの入力デバイスの操作に応じて申請残業時間を入力する（ステップＥ２）。
【００４７】
制御ユニット２０は、ユーザにより入力された残業申請時間を社員番号データと対応づけて、残業時間申請記録メモリ部５４ｂに記録する（ステップＥ３）。
【００４８】
次に、「休暇申請」が選択された場合、制御ユニット２０は、休暇申請処理を実行して、休暇申を休暇申請記録メモリ部５４ｃに記録する（ステップＣ８）。
【００４９】
図８は、本実施形態における休暇申請処理の詳細を示すフローチャートである。  
制御ユニット２０は、メモリ２４に記憶された社員番号データを読み出し（ステップＦ１）、ユーザの入力デバイスの操作に応じて休暇申請の日付を入力する（ステップＦ２）。
【００５０】
制御ユニット２０は、ユーザにより入力された休暇申請の日付情報を社員番号データと対応づけて、休暇申請記録メモリ部５４ｃに記録する（ステップＦ３）。
【００５１】
次に、「キャッシュレスチャージ」が選択された場合、制御ユニット２０は、キャッシュレスチャージ処理を実行して、チャージ金額を社員証カード６０に書込み、給与引き落とし金額としてチャージ金額メモリ部５４ｄに記録する（ステップＣ９）。
【００５２】
図９は、本実施形態におけるキャッシュレスチャージ処理の詳細を示すフローチャートである。  
制御ユニット２０は、メモリ２４に記憶された社員番号データを読み出し（ステップＧ１）、社員証カード６０内のチャージ残高情報を取得する（ステップＧ２）。ここで、制御ユニット２０は、チャージ金額入力用の画面をディスプレイに表示させて、ユーザによりチャージ金額を入力させる。
【００５３】
制御ユニット２０は、ユーザの入力デバイスの操作に応じてチャージ金額を入力すると（ステップＧ３）、社員証カード６０に記録されている現在のチャージ残高情報と、ユーザにより指定されたチャージ金額とを合計し、その合計の金額を、カードリーダ２８を通じて社員証カード６０に書き込むと共に、チャージ金額情報を社員番号データと対応づけて、チャージ金額メモリ部５４ｄに記録する（ステップＧ４）。すなわち、給与引き落とし金額として、プリンタ１０に記録しておく。
【００５４】
制御ユニット２０は、ユーザにより選択された処理が完了した後に、ユーザにより印刷指示があった場合に、それぞれの印刷処理は、メモリ２４に記録したデータの内容および記憶ユニット２６の内容に応じて印刷データを作成し、プリンタユニット２２に送信することにより印刷することができる。
【００５５】
その後、制御ユニット２０は、アプリ終了処理を実行する。図１０は、本実施形態におけるアプリ終了処理を示すフローチャートである。
【００５６】
制御ユニット２０は、人事処理対応アプリケーション５６ａによりメモリ２４の入退社時刻記録メモリ部５４ａ、残業時間申請記録メモリ部５４ｂ、休暇申請記録メモリ部５４ｃ、あるいはチャージ金額メモリ部５４ｄに記録してデータを、通信ユニット２９を通じて社内サーバ６２に送信する（ステップＨ１、Ｃ１０）。社内サーバ６２は、プリンタ１０から受信した各データに付加された社員番号データをもとに、社内データベース６２ａ内の社員番号データが示す社員のデータを更新する。
【００５７】
制御ユニット２０は、人事処理対応アプリケーション５６ａによる処理を終了して、通常のプリンタモードに復帰する（ステップＨ２、Ｃ１１）。
【００５８】
なお、前述した説明では、複数の処理（入退社時刻記録処理、残業申請処理、休暇申請処理、キャッシュレスチャージ処理）の何れか１つを選択して実行しているが、複数の処理を選択することで複数の処理を順次実行できるようにしても良い。また、プリンタ１０は、メモリ２４に記憶されたデータを、各処理が終了すると直ちに社内サーバ６２に送信しても良いし、予め決められた一定時間毎に一括して送信するようにしても良い。
【００５９】
このようにして、本実施形態におけるプリンタ１０では、社員証カード６０をプリンタ１０のカードリーダ２８に近接させるだけで、人事に関する処理が可能な人事処理対応アプリケーション５６ａを起動させて、入退社時刻記録、残業申請、休暇申請、キャッシュレスチャージすることが出来、さらにそれぞれの処理内容に従った印刷物を印刷することができる。従って、人事に関する複数の処理を簡単に実施することが可能となる。
【００６０】
また、前述した説明では、交通系ＩＣカード３０が使用された場合には交通系対応アプリケーション２６ａを起動し、社員証カード６０が使用された場合には人事処理対応アプリケーション５６ａを起動しているが、その他の種類の非接触型ＩＣカードが使用された場合に、この非接触型ＩＣカードの種類に応じたアプリケーションを起動して、前述と同様にして処理を実行するようにできる。
【００６１】
また、実施形態において記載した手法、すなわち各フローチャートに示す処理等の各手法は、コンピュータに実行させることができるプログラムとして、メモリカード（ＲＯＭカード、ＲＡＭカード等）、磁気ディスク（フレキシブルディスク、ハードディスク等）、光ディスク（ＣＤ−ＲＯＭ、ＤＶＤ等）、半導体メモリ等の記録媒体に格納して配布することができる。そして、コンピュータは、外部記録媒体に記録されたプログラムを読み込み、このプログラムによって動作が制御されることにより、実施形態において説明した機能と同様の処理を実現することができる。
【００６２】
また、各手法を実現するためのプログラムのデータは、プログラムコードの形態としてネットワーク（インターネット）上を伝送させることができ、このネットワーク（インターネット）に接続されたコンピュータ（サーバ装置等）からプログラムデータを取り込み、前述した実施形態と同様の機能を実現することもできる。
【００６３】
なお、本願発明は、実施形態に限定されるものではなく、実施段階ではその要旨を逸脱しない範囲で種々に変形することが可能である。さらに、実施形態には種々の段階の発明が含まれており、開示される複数の構成要件における適宜な組み合わせにより種々の発明が抽出され得る。例えば、実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００６４】
以下に、本願出願の当初の特許請求の範囲に記載された発明を付記する。
【００６５】
［付記１］
ネットワークを通じて外部から入力される第１データを記憶するデータ記憶手段と、
非接触型ＩＣカードから第２データを受信するデータ受信手段と、
前記データ受信手段により受信された前記第２データに対応するアプリケーションを実行し、前記アプリケーションにより前記第１データと前記第２データとの関連を判定する判定手段と、
前記判定手段による判定結果に基づいて、前記第１データと前記第２データに関連して作成された印刷データを作成する手段と、
前記印刷データの印刷を実行する印刷手段と
を具備したことを特徴とする印刷装置。
【００６６】
［付記２］
前記データ記憶手段は、列車運行遅延情報を前記第１データとして記憶し、
前記データ受信手段は、前記非接触型ＩＣカードから列車の乗車駅と降車駅とを含む交通経路情報を前記第２データとして受信し、
前記判定手段は、前記列車運行遅延情報と前記交通経路情報とを比較して、利用経路が運行遅延に該当する経路であるか判定し、
前記印刷手段は、前記利用経路が運行遅延に該当する経路と判定された場合に遅延証明書を印刷することを特徴とする付記１記載の印刷装置。
【００６７】
［付記３］
前記印刷手段は、前記データ受信手段により前記非接触型ＩＣカードから前記第２データが受信された場合にのみ前記第１データと第２データに関連して作成された印刷データが印刷可能な状態に遷移することを特徴とする付記１記載の印刷装置。
【符号の説明】
【００６８】
１０…プリンタ、２０…制御ユニット、２２…プリンタユニット、２４…メモリ、２６…記憶ユニット、２６ａ…交通系対応アプリケーション、２８…カードリーダ、２９…通信ユニット、３０…交通系ＩＣカード、５６ａ…人事処理対応アプリケーション、６０…社員証カード。
【図１】
2015187775.tif 000003
【図２】
2015187775.tif 000004
【図３】
2015187775.tif 000005
【図４】
2015187775.tif 000006
【図５】
2015187775.tif 000007
【図６】
2015187775.tif 000008
【図７】
2015187775.tif 000009
【図８】
2015187775.tif 000010
【図９】
2015187775.tif 000011
【図１０】
2015187775.tif 000012